(57)【要約】【課題】  爪先を分割した靴下において、爪先の所定位置に各指を、容易に収容できるように改善した指入れ靴下の着用補助具の提供を目的とする。【解決手段】  互いに隣接する足指の間に収容して、その足指間を広げるための指間挿入体の一端に、この指間挿入体を足指の間から引出す取手を設けて、指入れ靴下の着用補助具とした。  指間挿入体は足指間を広げるので、靴下の爪先を分割した指入れ部分に、各指を収容し易くすることができる。【選択図】図１
2009066365.tif 000002
【特許請求の範囲】
【請求項１】
互いに隣接する足指の間に収容して、この足指間を広げるための指間挿入体と、
この指間挿入体の一端に設けられ、前記指間挿入体を前記足指の間から引出すための取手とからなる指入れ靴下の着用補助具。
【請求項２】
任意の長さに設定した複数の紐体の一端を結合し、他端を自由端とした指間挿入体と、
この指間挿入体の前記結合側から延出して設けた紐状の取手とからなる指入れ靴下の着用補助具。
【請求項３】
芯材を内装した筒状の紐体を複数本並設し、その一端側を結合して形成した棒状の指間挿入体と、
この指間挿入体の前記結合側から延出して設けた紐状の取手とからなり、前記棒状の指間挿入体を足指間に同時に引込み可能としたことを特徴とする指入れ靴下の着用補助具。
【請求項４】
軟材質よりなる複数の棒状体の一端を連結し他端側を自由端として、形成した指間挿入体と、
この指間挿入体の前記連結側を延出すると共に、前記指間挿入体と同材質により一体化して形成した取手とからなる指入れ靴下の着用補助具。
【発明の詳細な説明】
【技術分野】
【０００１】  本発明は、爪先に指入れ部を有する指入れ靴下の指入れ部に、所定の足指が確実に挿入できるように改善した指入れ靴下の着用補助具に関する。
【背景技術】
【０００２】  靴下の爪先部分を分割して、それぞれに足指を入れるようにしたものがある。
例えば５本指の靴下とも言われて、水虫対策用として、又は足先に力が入り易くて安定した歩行や運動ができる理由で、若者や老人にまで愛用されている。
この靴下の欠点としては、爪先の所定位置に足指が入りにくいことであり、一ヶ所に２本の指が入ったり、全く入らない部分があったりして、その都度入れ直さなければならないので着用が困難であった。
靴下を着用するための補助具としては、手足に障害があって膝が曲らなかったり、手が充分に使えなかったりした場合に用いるものがある。
例えば、靴下の開口部を広げて、足を入れ易くするために、舟底形の足置板に操作用の取手を設けて、広げた靴下の開口から足を挿入するものがある。（例えば、特許文献１参照）
【特許文献１】  特開２００６−１０２４４３号公報（第２頁、図３）
【発明の開示】
【発明が解決しようとする課題】
【０００３】  特許文献１に示す靴下履き補助具は、爪先部分を分割しない筒状の靴下を履くために用いるものであり、本願の如く各足指を所定の位置に収容させるものではなかった。
従って、爪先部分を分割した靴下の所定位置に、各足指を収容することは全くできないものであった。
また、爪先部分を分割した例えば５本指の靴下において、各指を所定の位置に収容させるための公知例は見当たらなかった。
本発明は、このような欠点を解消するためになされたものであり、爪先を分割した靴下において、爪先の所定位置に各足指を収容できるようにした指入れ靴下の着用補助具の提供を目的とする。
【発明を解決するための手段】
【０００４】  上記不具合を解決するために、本発明は次のような構成としている。
請求項１に記載した指入れ靴下の着用補助具は、隣接した足指の間に収容して、その足指間を広げるための指間挿入体の一端に、この指間挿入体を足指の間から引出す取手を設けることで、指入れ靴下の着用補助具とした。
指間挿入体は足指間を広げるので、靴下の爪先を分割した指入れ部分に、各指を収容し易くすることができる。
請求項２に記載した指入れ靴下の着用補助具は、任意の長さに設定した複数の紐体の一端を結合し、他端を自由端とした指間挿入体の前記結合側から延出して、紐状の取手を設けることで指入れ靴下の着用補助具とした。
このような指入れ靴下の着用補助具によれば、１本の紐体で指入れ靴下の着用補助具を形成することができる。
請求項３に記載した指入れ靴下の着用補助具によれば、筒状の紐体内に芯材を内装させて、請求項１及び請求項２に記載した指入れ靴下の着用補助具を形成すると、芯材の存在で足指間に指間挿入体を入れ易くするという特徴を持たせることができる。
請求項４に記載した指入れ靴下の着用補助具は、指間挿入体と取手とを軟材質の発泡材などを用いることによって、両者を一体形成することができるようにしたものであり、製造を簡略化することができる。
【発明の効果】
【０００５】  本発明によれば、足指の間に入れる指間挿入体の一端に、指間挿入体を引出す取手を設けたことにより、以下の効果を得ることができた。
すなわち、爪先の所定位置に入りにくい５本指の靴下でも、指間挿入体によって、各指の間を広げるように設定してから靴下を着用すると、足の各指を所定の位置に収容することが容易になった。
しかも、足指が所定の位置に収容されたあとで、取手を握って引くと、指間挿入体が指の間から離間して、靴下の内部から指入れ靴下の着用補助具を、簡単に取り出すことができる。
指間挿入体を筒状の紐で形成して、その内部に芯材を内装させると、指間挿入体が棒状になり、熊手のような形に設定すると、一度の操作で指間挿入体を、各指の間に引き入れることができるので装着効率が良くなった。
また、この指入れ靴下の着用補助具を紐体で形成すると、１本の紐を折曲したり結束したりして簡単に作ることができるし、発泡ウレタン等を用いると、一体で更に簡単に形成できるという大きな効果を得ることができた。
【発明を実施するための最良の形態】
【０００６】  本発明について、図面を参照して説明する。図１は本発明の指入れ靴下の着用補助具を示す一部破断斜視図、図２は図１を分解して示す説明図である。
図１で示すように、本発明の指入れ靴下の着用補助具１０は、足指の間に挿入する指間挿入体１２と、この指間挿入体１２の一端に設けられて、この指間挿入体１２を指の間から引出す取手２０とからなる。
このような指間挿入体１２と取手２０とについて、更に詳細に説明する。
この指間挿入体１２は図１で示すように、その先端部を自由端として他端側を固着したものである。また、図２で示すようにこの指間挿入体１２は、紐体１１の両端を延出して、その途中からジグザク状に折曲１３、１４すると共に、折曲部１３を形成する対向同士を接合して、４本の指間挿入紐１６を形成している。
指間挿入組１６の接合手段としては、図中の点線で示すように、その両側を互いに縫い合せしたり、貼り合せしたりして軟らかな棒状に形成している。
指間挿入紐１６の折曲１４側は、互いに連接した状態で取手２０となる紐体１１の両端部を含めて、縫い合せなどにより固着する。
尚、この固着部分は、必要に応じて外観上や強度に配慮して、布などよりなる結束バンド１８で覆っている。
この指間挿入組１６は、全ての足指間に挿入するように、図示では４本の例で説明したが、比較的間隔の広い親指部分を削除して、３本に形成しても良い。
取手１８は、指間挿入体１２を形成後に、指間挿入体１２の両側から延出した紐体１１を、互いに結束するなどによって結合２２することで、形成することができる。【０００７】  このように構成した指入れ靴下の着用補助具１０の使用例について、図面を参照して説明する。図３は図１の使用例を示す説明図である。
指入れ靴下の着用補助具１０を使用するには、図３で示すように、指入れ靴下の着用補助具１０を形成する複数の指間挿入紐１６を、各足指の間に１本ずつ挟み込むことで、各指の間隔を広げる。取手２０は足の甲にそって置くと共に、図示のように配置する。
このような状態で、指入れ靴下５の開口部が、爪先部分に近づくように手繰り寄せて、従来と同様に履く。足の各指の間には、指間挿入体１２が存在して、足指の間隔を広げているので、指入れ靴下５の各指入れ部分が所定の指に入り易いだけでなく、完全に入らない場合であっても、簡単な修正で容易に入れることができる。
足の各指が靴下の所定位置に収容されたら、足の甲の上に配置した紐状の取手２０を持って引出すと、指間挿入体１２は、足指から簡単に離脱することができる。
指入れ靴下の着用補助具１０を取外してから、靴下の開口部分を上昇させることにより、靴下の着用が完了するものである。【０００８】  本発明の他の例で示す指入れ靴下の着用補助具について図面を参照して説明する。図４は本発明の他の例の指入れ靴下の着用補助具を示す一部破断斜視図、図５は図４の指間挿入体を分解して示す説明図である。
図４で示すように、本発明の他の例で示す指入れ靴下の着用補助具３０は、前述例と同様に足指の間に挿入する指間挿入体３２と、この指間挿入体の一端に設けられて、この指間挿入体３２を指の間から引出す取手４０とからなる。
本発明の他の例で示す指間挿入体３２は、親指の部分に挿入する指間挿入紐を削除して３本で形成している。尚、取手４０は前述例と同様であるから指間挿入体３２についてのみ詳細に説明する。【０００９】  図４で示すように指間挿入体３２を形成する３本の指間挿入紐３６は筒状の紐より形成されている。
例えば、一般に打紐又は組紐と呼ばれている筒状に編んだ紐体３１である。
図５で示すように、指間挿入紐３６のうち中央の１本は、指間挿入体３２に必要な長さに設定され、両側の２本は指間挿入紐３６の長さと、取手４０とに必要な長さとを合計して一体にした長さとしている。
尚、この両側の紐体は、図３で示した結束４２を削除する目的で、１本の長い紐で形成しても良い。
図５で示す筒状の指間挿入紐３６の内部には、変形可能な芯体３３を収容している。この芯体３３は、指間挿入紐３６の先端部付近を湾曲させて、指の間に入り易くするためのものであり、詳細は後述する。
この芯体３３は、軟材質よりなる針金などを芯棒３５としている。例えば盆栽などに用いられ、枝を匡正するためのもの等である。
このような芯棒３５に、軟材質よりなるチューブ３４を被せて、芯体３３としており、この芯体３３を紐体３１に内装すると共に、その両端を結束３７することで、指間挿入紐３６を形成している。
このような３本の指間挿入紐３６は、その先端部を自由端として、他端側は結合して前述例と同様に、結束バンド３８等を用いて指間挿入体３２としている。
尚、図５で示す３本の指間挿入紐３６は、図中の右端側は芯体３３が収容され、中央は芯体３３が未挿入の状態、左端側は芯体３３を分解した状態を示した説明図である。【００１０】  このように構成した指入れ靴下の着用補助具３０の使用例について、図面を参照して説明する。図６は本発明の他の例の使用説明図、図７は図６を指間に挿入した状態を示す説明図である。
図６で示すように、本発明の他の例である指入れ靴下の着用補助具３０を使用するには、指間挿入紐３６の各先端部分を離間させて、間隔４５を設けると共に、図示のように先端部を湾曲４６させて熊手形に形成する。
このような熊手形になるのは紐体内に変形可能な芯体３３を収納した理由による。尚、間隔４５は使用者の足指に合わせて設定するものであり、図７で示すように使用する。
すなわち、指間挿入体３２の湾曲４６させた先端部を、図中の黒丸で印す位置に置いて、矢印方向に移動すると、３本の指間挿入紐３６は、同時に足指の間に挿入される。
図１で示した指間挿入紐１６は、各指間に１本ずつ挟みこんだが、図６で示す指間挿入紐３６は、同時に指間に挿入することができる。
このように指間挿入体３２を、図７で示すように装着したら、図３で示したように指入れ靴下を着用する。【００１１】  本発明のその他の例の指入れ靴下の着用補助具５０について、図面を参照して説明する。図８は本発明のその他の例の指入れ靴下の着用補助具を示す斜視図である。
図８で示すように本発明のその他の例の指入れ靴下の着用補助具５０は、前述例と同様に指間挿入体５２と、取手６０とからなる。
この指間挿入体５２と取手６０とは、一体に形成され、その材質として発泡ポリウレタンなどのように軟らかな材質を用いることで、指間に挿入しても痛くないように使用感に配慮している。このように軟材質よりなる板材を打抜いたり、成形したりして形成するが、成形の場合は図６で示したように、指間挿入体の先端部側を湾曲形成しても良い。
本発明のその他の例で示す指入れ靴下の着用補助具５０の取手６０は、握り易い板状であり、その端部を両側に突出させてストッパー６２として、指間からの引き抜き操作を容易にしている。また、取手６０の端部に小孔６４を設けて、不使用時の吊下げ手段として用いられるようにしている。
このように形成した指入れ靴下の着用補助具５０も前述例と同様に使用できるもので、この例では製造を打抜きだけでできるように形状も単純化したものである。【００１２】  本発明の指入れ靴下の着用補助具を、紐体で作り取手の部分を利用して吊下げると、飾りのようにも見受けられ、身近な部分に置いて都合良く使用することができる。
また、図５で示すような例では、紐の色をそれぞれ変えることで、更に装飾性を向上させることができる例である。
紐状の補助具は、小さく丸めることができるので、携帯に都合が良く、旅行などの外出にも好都合に形成している。
【図面の簡単な説明】
【００１３】
【図１】  本発明の指入れ靴下の着用補助具を示す一部破断斜視図である。
【図２】  図１の分解斜視図である。
【図３】  図１の使用例を示す説明図である。
【図４】  本発明の他の例の指入れ靴下の着用補助具を示す一部破断斜視図である。
【図５】  図４の指間挿入体を分解して示す説明図である。
【図６】  図４の使用説明図である。
【図７】  図６で示す指間挿入体を指間に挿入した状態を示す説明図である。
【図８】  本発明のその他の例の指入れ靴下の着用補助具を示す斜視図である。
【符号の説明】
【００１４】１０  指入れ靴下の着用補助具
１２  指間挿入体
１６  指間挿入紐
２０  取手
３０  指入れ靴下の着用補助具
３２  指間挿入体
３３  芯体
３６  指間挿入紐
４０  取手
５０  指入れ靴下の着用補助具
５２  指間挿入体
６０  取手
【図１】
2009066365.tif 000003
【図２】
2009066365.tif 000004
【図３】
2009066365.tif 000005
【図４】
2009066365.tif 000006
【図５】
2009066365.tif 000007
【図６】
2009066365.tif 000008
【図７】
2009066365.tif 000009
【図８】
2009066365.tif 000010